【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記始動操作手段の操作を条件の１つとして役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記有効位置に所定絵柄又は所定絵柄の組合せが停止した場合に、遊技媒体を払い出す又は再遊技等の特典を付与する特典付与手段と、
前記有効位置に特定絵柄の組合せが停止した場合に、所定の終了条件が成立するまで、遊技状態を遊技者に有利な特別遊技状態に移行させる特別遊技状態移行手段と
を備えた遊技機において、
前記抽選手段の抽選結果が前記特定絵柄の組合せと対応する特定絵柄役の当選である場合、前記特定絵柄の組合せが前記有効位置に停止するまで前記特定絵柄役当選を留保する留保手段と、
前記所定絵柄の組合せのうち、１の所定絵柄の組合せを示唆する示唆演出を行う示唆演出手段と、
前記示唆演出手段の示唆した示唆絵柄の組合せが前記有効位置に停止した場合に、前記特定絵柄役当選が留保されていることを教示する留保教示手段と
を備え、
さらに、前記駆動制御手段は、
前記抽選手段の抽選結果が前記示唆絵柄役の当選であり且つ前記示唆演出が行われた場合に、前記各周回体のうち最後に停止する周回体以外を前記示唆絵柄が前記有効位置に停止するように、前記各周回体のうち最後に停止する周回体を前記示唆絵柄の組合せが前記有効位置に停止し得るように対応する各駆動手段を駆動制御する第１駆動制御手段と、
前記抽選手段の抽選結果が前記示唆絵柄役に非当選であり且つ前記示唆演出が行われた場合に、前記各周回体のうち最後に停止する周回体以外を前記示唆絵柄が前記有効位置に停止するように、前記各周回体のうち最後に停止する周回体を前記示唆絵柄の組合せが前記有効位置に停止しないように対応する各駆動手段を駆動制御する第２駆動制御手段と
を備えることを特徴とする遊技機。
【請求項２】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記始動操作手段の操作を条件の１つとして役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記有効位置に所定絵柄又は所定絵柄の組合せが停止した場合に、遊技媒体を払い出す又は再遊技等の特典を付与する特典付与手段と、
前記有効位置に特定絵柄の組合せが停止した場合に、所定の終了条件が成立するまで、遊技状態を遊技者に有利な特別遊技状態に移行させる特別遊技状態移行手段と
を備えた遊技機において、
前記抽選手段の抽選結果が前記特定絵柄の組合せと対応する特定絵柄役の当選である場合、前記特定絵柄の組合せが前記有効位置に停止するまで前記特定絵柄役当選を留保する留保手段と、
前記所定絵柄の組合せのうち、１の所定絵柄の組合せを示唆する示唆演出を行う示唆演出手段と、
前記示唆演出手段の示唆した示唆絵柄の組合せが前記有効位置に停止した場合に、前記特定絵柄役当選が留保されていることを教示する留保教示手段と
を備え、
さらに、前記駆動制御手段は、
前記抽選手段の抽選結果が前記示唆絵柄役の当選であり且つ前記示唆演出が行われた場合に、前記示唆絵柄の組合せが前記有効位置に停止し得るように対応する各駆動手段を駆動制御する第１駆動制御手段と、
前記抽選手段の抽選結果が前記示唆絵柄役に非当選であり且つ前記示唆演出が行われた場合に、前記各周回体のうち最後に停止する周回体以外を前記示唆絵柄が前記有効位置に停止し得るように、前記各周回体のうち最後に停止する周回体を前記示唆絵柄の組合せが前記有効位置に停止しないように対応する各駆動手段を駆動制御する第２駆動制御手段と
を備えることを特徴とする遊技機。
【請求項３】
前記第１及び第２駆動制御手段は、前記停止操作手段の操作されたタイミングが前記示唆絵柄を前記有効位置に停止できないタイミングである場合、前記停止操作手段の操作されたタイミングから最大停止駆動時間の経過後に対応する周回体を停止させるよう対応する駆動手段を駆動制御することを特徴とする請求項２に記載の遊技機。
【請求項４】
前記示唆演出を行うか否かを決定する示唆演出決定手段を備えたことを特徴とする請求項１乃至３のいずれか１項に記載の遊技機。
【請求項５】
前記示唆演出を行うか否かの示唆演出抽選を行う示唆演出抽選手段を備え、前記示唆演出決定手段は、前記抽選手段の抽選結果が前記所定絵柄役に当選していない特典外れである場合に前記示唆演出抽選手段の抽選結果を参照し、該参照結果が当選である場合に前記示唆演出を行うと決定することを特徴とする請求項４に記載の遊技機。
【請求項６】
前記示唆演出決定手段は、前記留保手段が前記特定絵柄役当選を留保していない状態であり、且つ前記抽選手段の抽選結果が前記示唆絵柄役の当選である場合に、前記示唆演出を行わないと決定することを特徴とする請求項４又は５のいずれかに記載の遊技機。
【請求項７】
前記示唆演出決定手段は、前記留保手段が前記特定絵柄役当選を留保している状態であり、且つ前記抽選手段の抽選結果が前記示唆絵柄役の当選である場合に、前記示唆演出を行うと決定することを特徴とする請求項４乃至６のいずれか１項に記載の遊技機。
【請求項８】
前記示唆演出決定手段は、前記留保手段が前記特定絵柄役当選を留保している状態であり、且つ前記抽選手段の抽選結果が前記示唆絵柄役の当選である場合に、所定の確率で前記示唆演出を行うと決定することを特徴とする請求項４乃至６のいずれか１項に記載の遊技機。
【請求項９】
前記示唆演出決定手段は、前記抽選手段の抽選結果が前記示唆絵柄役と異なる役の当選である場合、前記示唆演出を行わないと決定することを特徴とする請求項４乃至８のいずれか１項に記載の遊技機。
【請求項１０】
前記示唆演出手段は、前記停止操作手段の操作が有効とされる前までに前記示唆演出を開始することを特徴とする請求項４乃至９のいずれか１項に記載の遊技機。
【請求項１１】
複数種の絵柄が周方向に付された複数の周回体と、
前記各周回体について各絵柄のうち一部の絵柄を視認可能とする表示窓と、
前記各周回体の回転を開始させるべく操作される始動操作手段と、
前記始動操作手段の操作を条件の１つとして役の抽選を行う抽選手段と、
前記各周回体毎に設けられ、該各周回体を回転させる駆動手段と、
前記各周回体の回転を個別に停止させるべく操作される複数の停止操作手段と、
前記始動操作手段の操作に基づいて前記各周回体の回転を開始させ、前記各停止操作手段の操作に基づいて対応する前記周回体の回転を停止させるように、且つ前記役の抽選に当選した際には、役と対応する絵柄又は絵柄の組合せが前記表示窓から視認できる有効位置に停止し得るよう前記各駆動手段を駆動制御する駆動制御手段と、
前記有効位置に所定絵柄又は所定絵柄の組合せが停止した場合に、遊技媒体を払い出す又は再遊技等の特典を付与する特典付与手段と、
前記有効位置に特定絵柄の組合せが停止した場合に、所定の終了条件が成立するまで、遊技状態を遊技者に有利な特別遊技状態に移行させる特別遊技状態移行手段と
を備えた遊技機において、
前記抽選手段の抽選結果が前記特定絵柄の組合せと対応する特定絵柄役の当選である場合、前記特定絵柄の組合せが前記有効位置に停止するまで前記特定絵柄役当選を留保する留保手段と、
前記所定絵柄の組合せのうち、１の所定絵柄の組合せを示唆する示唆演出を行う示唆演出手段と、
前記示唆演出手段の示唆した示唆絵柄の組合せが前記有効位置に停止した場合に、前記特定絵柄役当選が留保されていることを教示する留保教示手段と、
前記示唆演出を行うことが可能か否かを判定する示唆演出判定手段と、
前記示唆演出判定手段の判定結果が可能である場合に、前記示唆演出を行うか否かを決定する示唆演出決定手段と
を備え、
前記示唆演出判定手段は、少なくとも前記留保手段が前記特定絵柄役当選を留保しておらず且つ前記抽選手段の抽選結果が前記示唆絵柄の組合せと対応する示唆絵柄役当選である場合に、前記示唆演出を行うことが不可能と判定し、
前記示唆演出決定手段は、
前記示唆演出を行うか否かの示唆演出抽選を行う示唆演出抽選手段を備え、
前記抽選手段の抽選結果が前記示唆絵柄役当選でない場合、前記示唆演出抽選手段の抽選結果を参照すると共に当該結果が当選であれば前記示唆演出を行う決定をし、
前記駆動制御手段は、
前記抽選手段の抽選結果が前記示唆絵柄役の当選であり且つ前記示唆演出決定手段が前記示唆演出を行うと決定した場合に、前記各周回体のうち最後に停止する周回体以外を前記示唆絵柄が前記有効位置に停止するように、前記各周回体のうち最後に停止する周回体を前記示唆絵柄の組合せが前記有効位置に停止し得るように対応する各駆動手段を駆動制御する第１駆動制御手段と、
前記抽選手段の抽選結果が前記示唆絵柄役に非当選であり且つ前記示唆演出決定手段が前記示唆演出を行うと決定した場合に、前記各周回体のうち最後に停止する周回体以外を前記示唆絵柄が前記有効位置に停止するように、前記各周回体のうち最後に停止する周回体を前記示唆絵柄の組合せが前記有効位置に停止しないように対応する各駆動手段を駆動制御する第２駆動制御手段と
を備えることを特徴とする遊技機。